(57)【要約】【課題】  曲リスト画面の表示中に再生画面を確認することができるコンテンツ情報表示装置を提供すること。【解決手段】  生成手段は、リスト画面モードが選択されているとき、リスト画面のみではなく複合画面を生成する。処理手段は、リスト画面モードでコンテンツの再生中には、複合画面の再生画面を第１の表示領域に表示させ、複合画面のコンテンツリスト画面を第２の表示領域に表示させる。従って、ユーザは、再生のコンテンツに関する再生画面を見ながら、コンテンツリスト画面を確認することができる。【選択図】図７
2008152308.tif 000002
【特許請求の範囲】
【請求項１】
コンテンツリストの中から選択されたコンテンツを再生するコンテンツ再生装置におけるコンテンツ情報表示装置であって、
所定の第１の表示領域及び所定の第２の表示領域を有し、該第１の表示領域及び該第２の表示領域に、再生中のコンテンツに関する情報を示す再生画面、及び、複数のコンテンツのコンテンツ情報の一覧を示すコンテンツリスト画面の少なくとも一方を表示する表示手段と、
ユーザ操作に応じて該コンテンツリスト画面を表示するリスト画面モード又は該再生画面を表示する再生画面モードが選択されるモード選択手段と、
該再生画面と該コンテンツリスト画面とを含む複合画面を生成する生成手段と、
該コンテンツ再生装置がコンテンツを再生しており、該リスト画面モードが選択されている場合、該複合画面の該再生画面を該第１の表示領域に表示させ、かつ、該コンテンツリスト画面の少なくとも一部を該第２の表示領域に表示させ、該コンテンツ再生装置がコンテンツの再生を停止しており、該リスト画面モードが選択されている場合、該複合画面の該再生画面を該第１の表示領域及び該第２の表示領域外の非表示領域に移動させ、該コンテンツリスト画面を該第１の表示領域及び該第２の表示領域に表示させる処理手段とを備える、コンテンツ情報表示装置。
【請求項２】
前記再生画面モードが選択されている場合、前記生成手段が再生画面のみを生成し、前記処理手段が、該再生画面を前記第１の表示領域及び前記第２の表示領域に表示させる、請求項１に記載のコンテンツ情報表示装置。
【請求項３】
前記リスト画面モードが選択されている場合、前記コンテンツ再生装置が前記コンテンツリストに含まれているコンテンツの全てを再生し終えたとき、又は、ユーザ操作に応じてコンテンツの再生を停止したとき、前記処理手段が、前記複合画面の再生画面を前記第１の表示領域及び前記第２の表示領域外の非表示領域に移動させ、前記複合画面のコンテンツリスト画面を該第１の表示領域及び該第２の表示領域に移動させる、請求項１または２に記載のコンテンツ情報表示装置。
【請求項４】
前記リスト画面モードが選択されている場合、前記コンテンツ再生装置がコンテンツの再生を開始したとき、前記処理手段が、前記複合画面の再生画面を前記第１の表示領域に移動させ、前記複合画面のコンテンツリスト画面を前記第２の表示領域に移動させる、請求項１〜３のいずれかに記載のコンテンツ情報表示装置。
【請求項５】
コンテンツリストの中から選択されたコンテンツを再生するコンテンツ再生装置におけるコンテンツ情報表示装置であって、
所定の第１の表示領域及び所定の第２の表示領域を有し、該第１の表示領域及び該第２の表示領域に、再生中のコンテンツに関する情報を示す再生画面、及び、複数のコンテンツのコンテンツ情報の一覧を示すコンテンツリスト画面の少なくとも一方を表示する表示手段と、
該再生画面と該コンテンツリスト画面とを含む複合画面を生成する生成手段と、
該コンテンツリスト画面を表示する場合、該コンテンツ再生装置がコンテンツを再生しているときには、該複合画面の該再生画面を該第１の表示領域に表示させ、かつ、該コンテンツリスト画面の少なくとも一部を該第２の表示領域に表示させ、該コンテンツ再生装置が該コンテンツリストに含まれているコンテンツの全てを再生し終えたとき、又は、ユーザ操作に応じてコンテンツの再生を停止したとき、該複合画面の該再生画面を該第１の表示領域及び該第２の表示領域外の非表示領域に移動させ、該コンテンツリスト画面を該第１の表示領域及び該第２の表示領域に表示させる処理手段とを備える、コンテンツ情報表示装置。
【発明の詳細な説明】
【技術分野】
【０００１】
本発明は、再生中のコンテンツの情報を示す再生画面、及び、コンテンツリストを示すコンテンツリスト画面を表示するコンテンツ情報表示装置に関する。
【背景技術】
【０００２】
ＨＤＤ（Hard Disk Drive）に蓄積されている複数のコンテンツ（例えば、曲データ等）の中から選択されたコンテンツを再生するオーディオ機器において、再生中の曲に関する再生画面（曲名、アーティスト名、曲の総再生時間、現在の再生時間等）、及び、複数の曲名の一覧である曲リスト画面をＬＣＤ等の表示部に表示することができる。オーディオ機器の小型化に伴いＬＣＤも小さなものが採用されるので、再生曲画面、又は、曲リスト画面の一方が選択的に表示される。すなわち、ユーザ操作によって再生画面が選択されると、再生画面のみが表示され、ユーザ操作によって曲リスト画面が選択されると、曲リスト画面のみが表示される。このようなオーディオ機器においては、曲リスト画面を表示している間、再生画面を見ることができないという問題がある。
【０００３】
【特許文献１】特開２００２−１７６５７８号
【発明の開示】
【発明が解決しようとする課題】
【０００４】
本発明の目的は、曲リスト画面の表示中に再生画面を確認することができるコンテンツ情報表示装置を提供することである。
【課題を解決するための手段】
【０００５】
本発明の好ましい実施形態によるコンテンツ情報表示装置は、コンテンツリストの中から選択されたコンテンツを再生するコンテンツ再生装置におけるコンテンツ情報表示装置であって、所定の第１の表示領域及び所定の第２の表示領域を有し、該第１の表示領域及び該第２の表示領域に、再生中のコンテンツに関する情報を示す再生画面、及び、複数のコンテンツのコンテンツ情報の一覧を示すコンテンツリスト画面の少なくとも一方を表示する表示手段と、ユーザ操作に応じて該コンテンツリスト画面を表示するリスト画面モード又は該再生画面を表示する再生画面モードが選択されるモード選択手段と、該再生画面と該コンテンツリスト画面とを含む複合画面を生成する生成手段と、該コンテンツ再生装置がコンテンツを再生しており、該リスト画面モードが選択されている場合、該複合画面の該再生画面を該第１の表示領域に表示させ、かつ、該コンテンツリスト画面の少なくとも一部を該第２の表示領域に表示させ、該コンテンツ再生装置がコンテンツの再生を停止しており、該リスト画面モードが選択されている場合、該複合画面の該再生画面を該第１の表示領域及び該第２の表示領域外の非表示領域に移動させ、該コンテンツリスト画面を該第１の表示領域及び該第２の表示領域に表示させる処理手段とを備える。
【０００６】
生成手段は、リスト画面モードが選択されているとき、リスト画面のみではなく複合画面を生成する。処理手段は、リスト画面モードでコンテンツの再生中には、複合画面の再生画面を第１の表示領域に表示させ、複合画面のコンテンツリスト画面を第２の表示領域に表示させる。従って、ユーザは、再生中のコンテンツに関する再生画面を見ながら、コンテンツリスト画面を確認することができる。また、処理手段は、リスト画面モードでコンテンツの再生を停止しているときには、複合画面の再生画面を非表示領域に移動させ、複合画面のコンテンツリスト画面を第１の表示領域及び第２の表示領域に表示させる。従って、表示手段にはコンテンツリスト画面が全画面表示され、停止中には不要である再生画面を非表示にすることができる。さらに、リスト画面モードでは常に複合画面が生成されており、複合画面の配置を第１の表示領域及び第２の表示領域内で移動させて表示を切り換えるので、コンテンツの再生／停止の動作変更時における、複合画面の表示とコンテンツリスト画面のみの表示との切り換えを迅速に行うことができる。
【０００７】
好ましい実施形態においては、前記再生画面モードが選択されている場合、前記生成手段が該再生画面のみを生成し、前記処理手段が、該再生画面を前記第１の表示領域及び前記第２の表示領域に表示させる。
【０００８】
生成手段は、再生画面モードが選択されているとき、複合画面ではなく再生画面のみを生成する。処理手段は、再生画面モードでは再生画面を第１の表示領域及び第２の表示領域に表示させる。コンテンツリスト画面はそのデータサイズが再生画面に比べて大きいので、再生画面のみを表示する再生画面モードにおいて複合画面ではなく、再生画面のみを生成することでメモリの使用量を削減できる。
【０００９】
好ましい実施形態においては、前記リスト画面モードが選択されている場合、前記コンテンツ再生装置が前記コンテンツリストに含まれているコンテンツの全てを再生し終えたとき、又は、ユーザ操作に応じてコンテンツの再生を停止したとき、前記処理手段が、前記複合画面の再生画面を前記第１の表示領域及び前記第２の表示領域外の非表示領域に移動させ、前記複合画面のコンテンツリスト画面を該第１の表示領域及び該第２の表示領域に移動させる。
【００１０】
この場合、コンテンツの再生が停止したときに、自動的にコンテンツリスト画面のみの表示に切り換えることができる。
【００１１】
好ましい実施形態においては、前記リスト画面モードが選択されている場合、前記コンテンツ再生装置がコンテンツの再生を開始したとき、前記処理手段が、前記複合画面の再生画面を前記第１の表示領域に移動させ、前記複合画面のコンテンツリスト画面を前記第２の表示領域に移動させる。
【００１２】
この場合、コンテンツの再生が開始したときに、自動的に再生画面とコンテンツリスト画面との両方の表示に切り換えることができる。
【００１３】
本発明の別の好ましい実施形態におけるコンテンツ情報表示装置は、コンテンツリストの中から選択されたコンテンツを再生するコンテンツ再生装置におけるコンテンツ情報表示装置であって、所定の第１の表示領域及び所定の第２の表示領域を有し、該第１の表示領域及び該第２の表示領域に、再生中のコンテンツに関する情報を示す再生画面、及び、複数のコンテンツのコンテンツ情報の一覧を示すコンテンツリスト画面の少なくとも一方を表示する表示手段と、該再生画面と該コンテンツリスト画面とを含む複合画面を生成する生成手段と、該コンテンツリスト画面を表示する場合、該コンテンツ再生装置がコンテンツを再生しているときには、該複合画面の該再生画面を該第１の表示領域に表示させ、かつ、該コンテンツリスト画面の少なくとも一部を該第２の表示領域に表示させ、該コンテンツ再生装置が該コンテンツリストに含まれているコンテンツの全てを再生し終えたとき、又は、ユーザ操作に応じてコンテンツの再生を停止したとき、該複合画面の該再生画面を該第１の表示領域及び該第２の表示領域外の非表示領域に移動させ、該コンテンツリスト画面を該第１の表示領域及び該第２の表示領域に表示させる処理手段とを備える。
【発明の効果】
【００１４】
本発明によると、コンテンツリスト画面の表示中に再生画面を確認することができる。
【発明を実施するための最良の形態】
【００１５】
以下、本発明の好ましい実施形態について、図面を参照して具体的に説明するが、本発明はこれらの実施形態には限定されない。図１は、本発明の好ましい実施形態によるコンテンツ情報表示装置が採用されるコンテンツ再生装置１００の構成を示すブロック図である。コンテンツ再生装置１００は、ＨＤＤ（Hard Disk Drive）５に蓄積されている複数のコンテンツの中から選択されたコンテンツを再生部１０において再生し、映像及び／又は音声を出力するものである。ここで、コンテンツとは、映像データ、曲（音楽）データ、又は静止画データの総称であるが、本例では曲データの場合を例に説明する。
【００１６】
コンテンツ再生装置１００は、システム制御部２、ＲＡＭ３、ＲＯＭ４、ＨＤＤ５、画像処理部６、ＲＡＭ（画像処理用メモリ）７、操作部８、表示部９及び再生部１０を備える。これらは、バスを介して互いに接続されている。
【００１７】
システム制御部２は、コンテンツ再生装置１００の全体を制御するものであり、ＲＯＭ４内に格納された動作プログラムをＲＡＭ３内に読み出して、各処理を実行する。例えば、システム制御部２は、後述する再生画面又は複合画面を描画するように画像処理部６を制御する。
【００１８】
表示部９は、再生画面、曲リスト画面又はそれらの複合画面等を表示するものであり、ＬＣＤ（液晶ディスプレイ）等である。表示部９は、図２〜図４に示すように、所定の大きさを有する第１表示領域９Ａ（本例では表示部９の上半分）と、所定の大きさを有する第２表示領域９Ｂ（本例では表示部９の下半分）とを含む。
【００１９】
本例では、表示部９の表示モードとして、再生画面モードと、曲リスト画面モードとが存在する。再生画面モードは、現在再生中の曲又は（曲の停止中においては）選択されている曲に関する情報（例えば、曲名、アーティスト名、総再生時間、現在の再生時間、動作状態、ボリューム等）を含む再生画面のみを表示するモードである。図２は、再生画面モードで表示される再生画面を示す図である。再生画面モードでは、表示部９の第１表示領域９Ａ及び第２表示領域９Ｂに再生画面２０が全体表示される。
【００２０】
曲リスト画面モードは、ユーザ操作によって選択された曲リスト（複数の曲の曲情報の一覧）を示す曲リスト画面を表示するモードである。曲リスト画面モードでは、曲を再生中か停止中かによってその表示画面が異なる。すなわち、曲の再生中においては、図３に示すように、再生画面２０と曲リスト画面２１とを含む複合画面が表示部９に表示される。詳細には、第１表示領域９Ａに再生画面２０が表示され、第２表示領域９Ｂに曲リスト画面２１が表示される。
【００２１】
一方、曲を再生していない停止状態においては、図４に示すように曲リスト画面２１のみが第１表示領域９Ａ及び第２表示領域９Ｂに全画面表示される。詳細には、再生時と同様に再生画面２０と曲リスト画面２１とを含む複合画面が画像処理部６によって生成されているのであるが、図５に示すとおり、複合画面の再生画面２０は第１表示領域９Ａの上側の非表示領域に移動されており、第１表示領域９Ａ及び第２表示領域９Ｂには曲リスト画面２１のみが配置され、表示されている。このように、曲リスト画面２１を第１表示領域９Ａ及び第２表示領域９Ｂに全画面表示する際に、複合画面の再生画面２０を表示領域外に移動させることにより、曲リスト画面モードにおける再生開始／再生終了の状態変更時（すなわち、図３と図４との表示を切り換える際）に、再度画面を生成し直す必要がないので、表示画面の変更を迅速に実行することができる。
【００２２】
なお、図６は、本例における表示モードと、各動作状態（停止中、再生中）における表示部９に表示される画面（但し、括弧内は描画処理部６Ｂで生成されＲＡＭ７内に保存されている画面）との関係を表している。
【００２３】
図１に戻り、操作部８は、ユーザからの指示を受け付けてシステム制御部２に送信するものであり、操作ボタンやリモコン等である。操作部８によって再生画面モードと、曲リスト画面モードとを選択することができる。
【００２４】
ＨＤＤ５は複数の曲データを蓄積する。ＨＤＤ５に蓄積されている曲データは、システム制御部２の指示によって読み出されて、再生部１０によって再生される。ＨＤＤ５は、コンテンツ情報データベース（以下、コンテンツ情報ＤＢという）と、再生画面描画部品と、曲リスト画面描画部品とを格納している。コンテンツ情報ＤＢは、ＨＤＤ５に蓄積されている全ての曲データに関するコンテンツ情報（以下、曲情報という）を管理する。曲情報には、タイトル（曲名）、アーティスト名、アルバム名、ジャンル名、曲の総再生時間、リリース年等が含まれる。ユーザ操作に応じて、コンテンツ情報ＤＢ内の曲情報から曲リストが生成され、ＲＡＭ３内に保存される。ＲＡＭ３内に保存された曲リストは、再生画面及び曲リスト画面に描画して表示する際に使用される。
【００２５】
再生画面描画部品は、図２及び図３に示す再生画面を描画するために必要な部品（部分画像）であり、例えば、再生時間を表示する部品、及び、動作状態（例えば再生中）を示す部品等である。これらの部品は、再生画面オブジェクトとして、所定の再生画面の態様に合成されて保存されている。
【００２６】
曲リスト画面描画部品は、図３及び図４に示す曲リスト画面を描画するために必要な部品（部分画像）であり、曲リスト内の曲番号、曲リスト内の背景等である。これらの部品は、曲リスト画面オブジェクトとして、所定の曲リスト画面の態様に合成されて保存されている。再生画面描画部品及び曲リスト画面描画部品は、システム制御部２からの指示によってＲＡＭ７内に読み出される。
【００２７】
画像処理部６は、システム制御部２からの指示に基づいて、再生画面のみ、曲リスト画面又は、再生画面と曲リスト画面とを含む複合画面を描画し、表示部９に供給する。画像処理部６は、画像制御部６Ａと描画処理部６Ｂとを有する。描画処理部６Ｂは、ＨＤＤ５からＲＡＭ７内に読み出された、再生画面描画部品（オブジェクト）、曲リスト画面描画部品（オブジェクト）及び／又はＲＡＭ３に保存されている曲リスト（曲情報）を現在の動作状態に応じて合成し、画面を生成する。さらに、描画処理部６Ｂは生成した画面を第１の表示領域又は第２の表示領域に配置させる。画像制御部６Ａは、描画処理部６Ｂから供給された画像の第１表示領域９Ａ及び第２表示領域の部分に描画処理を実行し、表示部９に出力する。
【００２８】
以上の構成を有するコンテンツ再生装置１００の表示動作を説明する。
［曲停止中における表示モード選択処理］
図７は、表示モードの選択処理を説明するフローチャートである。システム制御部２はユーザ操作によってリスト画面モードへの変更指示が入力されたか（Ｓ１１）、再生画面モードへの変更指示が入力されたか（Ｓ１２）を判断している。
【００２９】
再生画面モードのとき、描画処理部６Ｂは再生画面のみをＲＡＭ７内で生成しており、画像制御部６Ａが再生画面を描画して、第１表示領域９Ａ及び第２表示領域９Ｂに再生画面を表示している。この状態で、リスト画面モードへの変更指示が入力されたとき（Ｓ１１：ＹＥＳ）、システム制御部２は、現在曲を再生中であるか否かを判断する（Ｓ１３）。この場合、停止中であるので（Ｓ１３：ＮＯ）、描画処理部６Ｂは、現在ＲＡＭ７内で生成している再生画面に含まれている曲情報（曲名、総再生時間）を取得する（Ｓ１４）。複合画面の再生画面の描画に曲情報を使用するためである。続いて、描画処理部６Ｂは描画処理を行っていた再生画面オブジェクトを破棄して、このあと描画する画面を再生画面から複合画面に変更する（Ｓ１５）。
【００３０】
続いて、画像処理部６は、複合画面の描画処理を開始する（Ｓ１６）。詳細には、描画処理部６Ｂは、ＨＤＤ５から再生画面オブジェクト、及び、曲リスト画面オブジェクトをＲＡＭ７内に読み出して、再生画面を上側に曲リスト画面を下側に配置して結合する。さらに、描画処理部６Ｂは、再生画面にＳ１４で取得しておいた曲情報を合成する。さらに、描画処理部６Ｂは、ＲＡＭ３に保存されている現在ユーザによって選択されている曲リストをＲＡＭ７に読み出して、曲リストを曲リスト画面に合成する。その結果、ＲＡＭ７内で複合画面が生成される。続いて、描画処理部６Ｂは、図５のように複合画面の再生画面を第１表示領域の上側（表示領域外）に配置し、曲リスト画面を第１表示領域９Ａ及び第２表示領域９Ｂに配置する。そして、画像制御部６Ａが描画処理部６Ｂによって生成された複合画面の第１表示領域９Ａ及び第２表示領域９Ｂの部分を描画処理することによって、図４に示すように曲リスト画面のみが表示部９に表示される。
【００３１】
一方、リスト画面モードにおいて、再生画面モードへの変更指示が入力されたとき（Ｓ１２：ＹＥＳ）、描画処理部６Ｂは、現在ＲＡＭ７内で生成している複合画面の再生画面に含まれている曲情報（曲名、総再生時間）を取得する（Ｓ１７）。再生画面のみの描画に曲情報を使用するためである。さらに、描画処理部６ＢはＲＡＭ７内で生成していた複合画面を破棄して、描画する画面を複合画面から再生画面のみに変更する（Ｓ１８）。
【００３２】
画像処理部６は、再生画面のみの描画処理を開始する（Ｓ１９）。詳細には、描画処理部６Ｂは、ＨＤＤ５から再生画面オブジェクトのみをＲＡＭ７内に読み出し、Ｓ１７で取得しておいた曲情報を再生画面に合成する。さらに、描画処理部６Ｂは、再生画面を第１表示領域９Ａ及び第２表示領域９Ｂに配置する。その後、画像制御部６Ａが描画処理部６Ｂによって生成された画面を描画処理することによって、図２に示すように再生画面のみが表示部９に表示される。
【００３３】
このように、再生画面モードにおいて再生画面のみを表示部９に表示する場合に、描画処理部６ＢはＲＡＭ７内で複合画面ではなく、再生画面のみを生成している。曲リスト画面は再生画面よりもそのデータ量が比較的大きいので曲リスト画面をＲＡＭ７内に保存するとＲＡＭ７の容量が無駄に使用されてしまうが、本例ではこのような問題を解決できる。一方、曲リスト画面モードにおいて曲リスト画面のみを表示する場合に、ＲＡＭ７内で曲リスト画面のみでなく複合画面を生成している。この理由として、再生画面は比較的データ量が小さいので曲リスト画面のみの代わりに複合画面をＲＡＭ７内で保存してもＲＡＭ７の使用量に大差はないことと、後述の通り曲リスト画面のみの表示と複合画面の表示との切り換えを迅速に実行できることが挙げられる。
【００３４】
［再生開始時における表示処理］
図８は、曲の停止状態からユーザ指示によって再生を開始する際の表示処理を示すフローチャートである。まず、システム制御部２は、曲の再生指示が入力されたか否かを判断している（Ｓ２１）。曲の再生指示が入力され、再生部１０が曲の再生を開始する場合（Ｓ２１：ＹＥＳ）、システム制御部２は、現在の表示モードが曲リスト画面モードであるか否かを判断する（Ｓ２２）。
【００３５】
曲リスト画面モードの場合（Ｓ２２：ＹＥＳ）、画像処理部６は、図４に示す曲リスト画面のみの描画から、図３に示す複合画面の描画に切り換える（Ｓ２３、２４）。詳細には、曲リスト画面モードにおいて、停止時には曲リスト画面しか画像制御部６Ａによって描画されていないが、ＲＡＭ７内には描画処理部６Ｂによって複合画面が生成されている。従って、描画処理部７が新たに複合画面を生成する必要がない。すなわち、描画処理部６Ｂは、複合画面の再生画面を非表示領域から第１表示領域９Ａに移動させ、曲リスト画面を第２表示領域９Ｂに移動させる。その後、画像制御部６Ａが描画処理部６Ｂによって生成された複合画面の第１表示領域及び第２表示領域の部分を描画処理することによって、図３に示すように再生画面及び曲リスト画面が表示部９に表示される。従って、ユーザは曲リスト画面モードにおいて、曲の再生中には、再生中の曲に関する情報を見ながら、曲リストを確認することができる。
【００３６】
一方、再生画面モードの場合（Ｓ２２：ＮＯ）、画像処理部６は、図２に示す再生画面のみを全画面表示させたまま表示態様を変更することなく、再生画面を再描画する（Ｓ２４）。すなわち、曲が再生開始されたので、画像処理部６は、例えば、停止中を表す表示から再生中を表す表示に変更して再生画面を描画する。
【００３７】
［再生時の表示モード選択処理］
再び図７を参照すると、システム制御部２はユーザ操作によってリスト画面モードへの変更指示が入力されたか（Ｓ１１）、再生画面モードへの変更指示が入力されたか（Ｓ１２）を判断している。
【００３８】
再生画面モードのとき、描画処理部６Ｂは再生画面のみをＲＡＭ７内で生成しており、画像制御部６Ａが再生画面を描画して、第１表示領域９Ａ及び第２表示領域９Ｂに再生画面を表示している。この状態で、リスト画面モードへの変更指示が入力されたとき（Ｓ１１：ＹＥＳ）、システム制御部２はＳ１３で再生中であると判断する（Ｓ１３：ＹＥＳ）。従って、描画処理部６Ｂは、現在ＲＡＭ７内で生成している再生画面に含まれている曲情報（曲名、総再生時間）を取得する（Ｓ３１）。複合画面の再生画面の描画に曲情報を使用するためである。続いて、描画処理部６Ｂは描画処理を行っていた再生画面オブジェクトを破棄して、描画する画面を再生画面から複合画面に変更する（Ｓ３２）。
【００３９】
画像処理部６は、複合画面の描画処理を開始する（Ｓ３３）。詳細には、描画処理部６Ｂは、ＨＤＤ５から再生画面オブジェクト、及び、曲リスト画面オブジェクトをＲＡＭ７内に読み出して、再生画面を上側に曲リスト画面を下側に配置して結合する。さらに、描画処理部６Ｂは、Ｓ３１で取得しておいた曲情報を再生画面に合成する。さらに、描画処理部６Ｂは、ＲＡＭ３に保存されているユーザによって選択されている曲リストをＲＡＭ７に読み出して、曲リストを曲リスト画面に合成する。その結果、ＲＡＭ７内で複合画面が生成される。さらに、描画処理部６Ｂは、再生画面を第１表示領域９Ａに配置し、曲リスト画面を第２表示領域９Ｂに配置する。その後、画像制御部６Ａが描画処理部６Ｂによって生成された複合画面の第１表示領域及び第２表示領域を描画処理することによって、図３に示すように再生画面及び曲リスト画面が表示部９に表示される。従って、再生中に曲リスト画面モードに移行したときに、ユーザは再生画面で再生中の曲の情報を見ながら、曲リストの内容を確認することができる。
【００４０】
一方、リスト画面モードにおいて、再生画面モードへの変更指示が入力されたとき（Ｓ１２：ＹＥＳ）の処理は、上記の停止時における再生モードへの変更処理と同様である（Ｓ１７〜Ｓ１９）ので、説明を援用する。
【００４１】
［再生停止時における表示処理］
図９は、曲リストに含まれている全曲の再生を終了したとき、又は、曲の再生状態からユーザ操作によって停止状態にされた際の表示処理を示す図である。まず、システム制御部２は、曲リスト内の全曲の再生を終了したか、又は、ユーザ操作によって曲が停止されたか否かを判断している（Ｓ４１）。曲リスト内の全曲の再生を終了した、又は、ユーザ操作によって曲が停止された場合（Ｓ４１：ＹＥＳ）、システム制御部２は、現在の表示モードが曲リスト画面モードであるか否かを判断する（Ｓ４２）。
【００４２】
曲リスト画面モードの場合（Ｓ４２：ＹＥＳ）、表示部９の表示部は、図３の複合画面の表示から図４の曲リスト画面のみの表示に切り替わる。つまり、画像処理部６は、複合画面の曲リスト画面のみを描画して、表示部９に曲リスト画面のみを表示させる（Ｓ４３、４４）。詳細には、曲リスト画面モードにおいて、再生時にＲＡＭ７内に複合画面が生成されている。従って、描画処理部６Ｂは、図５に示すように、複合画面の再生画面を第１表示領域から第１表示領域の上側（非表示領域）に移動させ、曲リスト画面を第１表示領域９Ａ及び第２表示領域９Ｂに配置させる。その後、画像制御部６Ａが描画処理部６Ｂによって生成された複合画面の第１表示領域９Ａ及び第２表示領域９Ｂの部分を描画処理することによって、図４に示すように曲リスト画面のみが表示部９に表示される。このように、既に生成されている複合画面を使用して曲リスト画面を描画するので、ＲＡＭ７内で曲リスト画面のみを新たに生成する必要がなく、その結果、複合画面の表示から曲リスト画面のみの表示に迅速に切り換えることができる。
【００４３】
一方、再生画面モードの場合（Ｓ４２：ＮＯ）、画像処理部６は、図２に示す再生画面のみを全画面表示させたまま表示態様を変更することなく、再生画面を再描画する（Ｓ４４）。すなわち、曲が停止されたので、画像処理部６は、例えば、再生中を表す表示から停止中を表す表示に変更して再生画面を描画する。
【００４４】
以上のようには、本実施形態では、曲リスト画面モードにおいてはＲＡＭ７内で常に複合画面を生成しており、再生中には複合画面を描画して表示部９に表示し、停止中には複合画面の曲リスト画面のみを描画して表示部９に表示する。従って、ユーザは再生中には再生中の曲情報を見ながら曲リストを確認することができる。さらに、曲リスト画面のみの表示と複合画面の表示との切り換えを迅速に行える。
【００４５】
以上、本発明の好ましい実施形態を説明したが、本発明はこれらの実施形態には限定されない。例えば、再生画面を下側（第２表示領域）に曲リスト画面を上側（第１表示領域）に配置してもよく、この場合、曲リスト画面のみを表示する場合に再生画面を下側の非表示領域に移動させればよい。また、再生画面モードにおいても、描画処理部６Ｂが複合画面を生成して、複合画面の再生画面を第１表示領域及び第２表示領域に配置してもよい。また、コンテンツ再生装置自体にコンテンツを蓄積していなくてもよく、例えば、サーバに蓄積されたコンテンツをＬＡＮ経由で取得して再生するコンテンツ再生装置でもよい。また、コンテンツ表示装置がコンテンツ再生装置と別筐体になっていてもよく、例えば、コンテンツ再生装置を制御するコントローラ内に設けられてもよい。本発明は、上記の画像再生装置を動作させるためのコンピュータプログラムまたはそのコンピュータプラグラムを記録した記録媒体という形態で提供されてもよい。
【産業上の利用可能性】
【００４６】
本発明はＨＤＤレコーダに好適に適用され得る。
【図面の簡単な説明】
【００４７】
【図１】本発明の好ましい実施形態によるコンテンツ再生装置１００の構成を示すブロック図である。
【図２】再生画面のみを表示部９に表示した状態を示す図である。
【図３】複合画面を表示部９に表示した状態を示す図である。
【図４】曲リスト画面のみを表示部９に表示した状態を示す図である。
【図５】図４の画面を表示する際に、複合画面の再生画面を表示領域外に移動させた状態を説明するための図である。
【図６】表示モードと動作状態とに応じた表示部９への表示画面（ＲＡＭ７で生成される画面）を説明する表である。
【図７】表示モードの選択時の表示処理を示すフローチャートである。
【図８】再生開始時の表示処理を示すフローチャートである。
【図９】再生停止時の表示処理を示すフローチャートである。
【符号の説明】
【００４８】
１００      コンテンツ再生装置
２          システム制御部
３          ＲＡＭ
４          ＲＯＭ
５          ＨＤＤ
６          画像処理部
６Ａ        画像制御部
６Ｂ        描画処理部
７          ＲＡＭ
８          操作部
９          表示部
１０        再生部
【図１】
2008152308.tif 000003
【図２】
2008152308.tif 000004
【図３】
2008152308.tif 000005
【図４】
2008152308.tif 000006
【図５】
2008152308.tif 000007
【図６】
2008152308.tif 000008
【図７】
2008152308.tif 000009
【図８】
2008152308.tif 000010
【図９】
2008152308.tif 000011